(57)【要約】【課題】金網フェンスへのかずらの巻き付きを有効に防止する。【解決手段】かずらの上方への伸びを阻止する板材５と、板材５に上縁が固定されると共に金網フェンス１の支柱２に対向する部位が支柱２に固定され金網３へのかずらの巻付きを阻止するネット６と、地面近傍のかずらの上方への伸びを阻止して下向きに折り返す第２折り返し材１３とを備え、かずらの金網３への巻き付きをネット６で阻止し、板材５及び半筒体１１でかずらの上方への伸びを阻止する。【選択図】図１
2008240404.tif 000002
【特許請求の範囲】
【請求項１】
網状フェンスの長手方向に延びて網状フェンスに固定されフェンス面の外側に突出してかずらの上方への伸びを阻止する折り返し材と、
折り返し材に上縁が固定され下縁がフェンス面に固定され網状フェンスへのかずらの巻付きを阻止するシート材と
を備えたことを特徴とするかずら巻付き防止具。
【請求項２】
請求項１に記載のかずら巻付き防止具において、
網状フェンスの長手方向に延びてシート材の下縁と共に網状フェンスに固定されフェンス面の外側に突出してかずらの上方への伸びを阻止する第２折り返し材を備えたことを特徴とするかずら巻付き防止具。
【請求項３】
請求項１もしくは請求項２に記載のかずら巻付き防止具において、
シート材はネットであることを特徴とするかずら巻付き防止具。
【請求項４】
請求項１〜請求項３のいずれか一項に記載のかずら巻付き防止具において、
折り返し材は、板材であることを特徴とするかずら巻付き防止具。
【請求項５】
請求項２〜請求項４のいずれか一項に記載のかずら巻付き防止具において、
第２折り返し材は、長手方向に延びる開口が筒面に形成され開口が下向きに配される断面半円状の半筒体を有することを特徴とするかずら巻付き防止具。
【請求項６】
請求項１〜請求項５のいずれか一項に記載のかずら巻付き防止具において、
折り返し材及びシート材は、網状フェンスの両側に備えられていることを特徴とするかずら巻付き防止具。
【請求項７】
網状フェンスの長手方向に延びて網状フェンスに固定されフェンス面の外側に突出してかずらの上方への伸びを阻止する板状の折り返し材と、
折り返し材に上縁が固定されると共に金網フェンスの支柱に対向する部位が支柱に固定され網状フェンスへのかずらの巻付きを阻止するネットと、
網状フェンスの長手方向に延びてネットの下縁と共に網状フェンスに固定されフェンス面の外側に突出してかずらの上方への伸びを阻止する第２折り返し材とを備え、
第２折り返し材は、長手方向に延びる開口が筒面に形成され開口が下向きに配される断面半円状の半筒体を有し、
折り返し材及びネット及び第２折り返し材は網状フェンスの両側に備えられている
ことを特徴とするかずら巻付き防止具。
【発明の詳細な説明】
【技術分野】
【０００１】
本発明は、網状フェンス、例えば、金網フェンスへのかずらの巻付きを防止するためのかずら巻付き防止具に関する。
【背景技術】
【０００２】
施設や私有地への第３者の侵入を阻止したり、田畑への動物の侵入を阻止するために、金網フェンスが用いられている。蔓科の植物であるかずらは様々なものに巻き付いて成長するため、金網フェンスが設置されている場所のかずらは、金網に巻き付いて成長することになる。金網フェンスに巻き付いたかずらを取り除く場合、刈り取り機や鎌は金網に刃が接触するため使用することができず、人手による手作業で取り除いているのが現状である。このため、金網フェンスに巻き付いたかずらの取り除き作業は多大な労力と時間を要する作業となっている。
【０００３】
電柱の支線等にかずらが巻き付かないようにするための防止具が従来から提案されている（例えば、下記特許文献１参照）。しかし、従来から提案されている防止具は、かずらが巻き付く対象が棒状、線状の支線等であり、線部材が細かく網目状に面で配される金網フェンスに適用することは構造上不可能である。このように、金網フェンスに対してかずらの巻き付を防止する技術は確立されていないのが実情であり、有効な対策が望まれている。
【０００４】
【特許文献１】実用新案登録第３１２３７９５号公報
【発明の開示】
【発明が解決しようとする課題】
【０００５】
本発明は上記状況に鑑みてなされたもので、網状フェンス、例えば、金網フェンスへのかずらの巻き付きを有効に防止することができるかずら巻付き防止具を提供することを目的とする。
【課題を解決するための手段】
【０００６】
上記目的を達成するための請求項１に係る本発明のかずら巻付き防止具は、網状フェンスの長手方向に延びて網状フェンスに固定されフェンス面の外側に突出してかずらの上方への伸びを阻止する折り返し材と、折り返し材に上縁が固定され下縁がフェンス面に固定され網状フェンスへのかずらの巻付きを阻止するシート材とを備えたことを特徴とする。
【０００７】
請求項１に係る本発明では、フェンス面に下縁が固定されたシート材によりかずらの網面への巻き付きが阻止され、上方に伸びるかずらは折り返し材により上方への伸びが阻止され、網状フェンスへのかずらの巻き付が防止される。
【０００８】
そして、請求項２に係る本発明のかずら巻付き防止具は、請求項１に記載のかずら巻付き防止具において、網状フェンスの長手方向に延びてシート材の下縁と共に網状フェンスに固定されフェンス面の外側に突出してかずらの上方への伸びを阻止する第２折り返し材を備えたことを特徴とする。
【０００９】
請求項２に係る本発明では、第２折り返し材により、網状フェンスの地面付近のかずらのフェンス面方向への伸びを阻止することができる。
【００１０】
また、請求項３に係る本発明のかずら巻付き防止具は、請求項１もしくは請求項２に記載のかずら巻付き防止具において、シート材はネットであることを特徴とする。
【００１１】
請求項３に係る本発明では、ネットによりかずらの網面への巻き付きが阻止される。シート材としては、透明な板状のシート等網状フェンスのフェンス面を覆うものであれば種々のシート材を用いることができる。
【００１２】
また、請求項４に係る本発明のかずら巻付き防止具は、請求項１〜請求項３のいずれか一項に記載のかずら巻付き防止具において、折り返し材は、板材であることを特徴とする。
【００１３】
請求項４に係る本発明では、板材によりかずらの上方への伸びが阻止される。板材としては、網状フェンスに固定される縁部が備えられ、縁部に連続して矩形板状の板部が一体に備えられた構成が適用される。材質としてはアルミニウム等の金属や透明な樹脂等が適宜採用される。金属を採用することで、耐久性に優れた板材となり、透明な樹脂を採用することで、見栄えの低下を抑制した板材とすることができる。
【００１４】
また、請求項５に係る本発明のかずら巻付き防止具は、請求項２〜請求項４のいずれか一項に記載のかずら巻付き防止具において、第２折り返し材は、長手方向に延びる開口が筒面に形成され開口が下向きに配される断面半円状の半筒体を有することを特徴とする。
【００１５】
請求項５に係る本発明では、断面半円状の半筒体により、網状フェンスの地面付近のかずらのフェンス面方向への伸びを下向きに折り返した状態で阻止することができる。
【００１６】
また、請求項６に係る本発明のかずら巻付き防止具は、請求項１〜請求項５のいずれか一項に記載のかずら巻付き防止具において、折り返し材及びシート材は、網状フェンスの両側に備えられていることを特徴とする。
【００１７】
請求項６に係る本発明では、折り返し材及びシート材が網状フェンスの両側に備えられているので、フェンス面の両面がシート材に覆われてかずらの網面への巻き付きが確実に阻止され、フェンス面の両面で折り返し材によりかずらの上方への伸びが阻止される。
【００１８】
上記目的を達成するための請求項７に係る本発明のかずら巻付き防止具は、網状フェンスの長手方向に延びて網状フェンスに固定されフェンス面の外側に突出してかずらの上方への伸びを阻止する板状の折り返し材と、折り返し材に上縁が固定されると共に金網フェンスの支柱に対向する部位が支柱に固定され網状フェンスへのかずらの巻付きを阻止するネットと、網状フェンスの長手方向に延びてネットの下縁と共に網状フェンスに固定されフェンス面の外側に突出してかずらの上方への伸びを阻止する第２折り返し材とを備え、第２折り返し材は、長手方向に延びる開口が筒面に形成され開口が下向きに配される断面半円状の半筒体を有し、折り返し材及びネット及び第２折り返し材は網状フェンスの両側に備えられていることを特徴とする。
【００１９】
請求項７に係る本発明では、フェンス面に下縁が固定されたネットによりかずらの網面への巻き付きが阻止され、上方に伸びるかずらは板材により上方への伸びが阻止され、網状フェンスへのかずらの巻き付が防止される。そして、断面半円状の半筒体により、網状フェンスの地面付近のかずらのフェンス面方向への伸びが阻止され、フェンス面の両面がネットに覆われてかずらの網面への巻き付きが確実に阻止され、フェンス面の両面で板材によりかずらの上方への伸びが阻止される。
【発明の効果】
【００２０】
本発明のかずら巻付き防止具は、網状フェンス、例えば、金網フェンスへのかずらの巻き付きを有効に防止することができる。
【発明を実施するための最良の形態】
【００２１】
図１には本発明の一実施形態例に係るかずら巻付き防止具を備えた金網フェンスの外観、図２には本発明の一実施形態例に係るかずら巻付き防止具を備えた金網フェンスの正面視、図３には本発明の一実施形態例に係るかずら巻付き防止具を備えた金網フェンスの側面視、図４には図３中の矢印ＩＶ部の詳細、図５には図３中の矢印Ｖ部の詳細を示してある。
【００２２】
図１〜図３に示すように、網状フェンスとしての金網フェンス１は、所定間隔で立設された支柱２の間に金網３が張られている。支柱２の上部は外側に傾斜されて鉄条網４が張り渡され、忍び返しとされている。金網フェンス１の下から３分の１程度の高さの位置には金網フェンス１の長手方向、即ち、支柱２の並び方向（図１中左右方向）に沿って延びる折り返し材としての板材５が固定されている。板材５にはシート材としての帯状のネット（目合：極小）６の上縁が固定されている。板材５は１ｍ程度の高さの範囲で設置することが好ましい。
【００２３】
図４に示すように、板材５は、ボルト、ナットからなるねじ部材７により金網フェンス１に固定される縁部８を有し、縁部８に連続して矩形板状の板部９が一体に備えられている。板材５は、例えば、アルミニウム製であり、耐久性に優れた構造とされている。板材５として、透明な樹脂等を用いることで、見栄えの低下を抑制したものとすることができる。板材５の縁部８はネット６の上縁と共にねじ部材７により金網フェンス１に固定されている。
【００２４】
図３、図４に示すように、板材５の板部９は金網フェンス１のフェンス面の外側に傾斜した状態で配され、ネット６は金網フェンス１の金網３の面を覆うように配されている。これにより、板部９が金網フェンス１のフェンス面の外側に突出した状態になり、かずらの上方への伸びが板部９で阻止され、ネット６により金網３へのかずらの巻付きが阻止される。
【００２５】
図１〜図３に示すように、ネット６の下縁に沿って半筒体１１を有する第２折り返し材１３が金網フェンス１に固定され、第２折り返し材１３の半筒体１１は、金網フェンス１の長手方向、即ち、支柱２の並び方向（図１中左右方向）に沿って延びてネット６の下縁と共に金網フェンス１に固定されている。第２折り返し材１３の金網フェンス１側は、半筒体１１の縁から連続して地面まで延ばされており、第２折り返し材１３は断面Ｊ字状に形成されている。また、支柱２に対応するネット６は、ボルト、ナットからなるねじ部材７により支柱２に固定されている。
【００２６】
図５に示すように、第２折り返し材１３の半筒体１１は、ねじ部材７により内面側からネット６の下縁と共に金網フェンス１に固定されている。半筒体１１は、長手方向に延びる開口１２が筒面に形成され開口１２が下向きに配される断面半円状であり、金網フェンス１のフェンス面の外側に突出してかずらの地面付近の上方への伸びを半円の内周側で阻止して下に向けさせるようになっている。
【００２７】
そして、図２〜図５に示すように、板材５、ネット６及び第２折り返し材１３は金網フェンス１の両側に備えられている。このため、金網フェンス１の金網３の両面がネット６に覆われ、かずらの金網３への巻き付きが確実に阻止され、金網フェンス１の両面で板材５によりかずらの上方への伸びが阻止される。また、金網フェンス１の両面で地面付近のかずらの上方への伸びを下に向けさせることができる。
【００２８】
上述したかずら巻付き防止具を備えることにより、金網３の面に下縁が固定されたネット６によりかずらの金網３への巻き付きが阻止され、上方に伸びるかずらは板材５により上方への伸びが阻止される。そして、第２折り返し材１３の断面半円状の半筒体１１により、金網フェンス１の地面付近のかずらの金網３の面方向への伸びが阻止される。更に、金網３の両面がネット６に覆われてかずらの金網３への巻き付きが確実に阻止され、金網フェンス１の両面で板材５によりかずらの上方への伸びが阻止される。
【００２９】
このため、金網フェンス１へのかずらの巻き付きを有効に防止することができ、金網フェンス１に巻き付くかずらの本数が激減して除去作業が飛躍的に容易になり、金網フェンス１のかずらの除去作業に対する作業時間の大幅な短縮と労力の大幅な低減を図ることができる。
【００３０】
尚、本発明のかずら巻付き防止具は、板材５、ネット６及び第２折り返し材１３を金網フェンス１の両側に備えた例を挙げて説明したが、片側だけに備えても金網フェンス１へのかずらの巻き付きを有効に防止することができる。また、第２折り返し材１３はかずらの生息状況等により省略することもでき、板材５及びネット６を備えることで、金網フェンス１へのかずらの巻き付きを有効に防止することができる。また、折り返し材である板材５及び第２折り返し材１３の形状も設置する場所や網状フェンスの状況により種々変更することが可能である。
【産業上の利用可能性】
【００３１】
本発明は、網状フェンス、例えば、金網フェンスへのかずらの巻付きを防止するためのかずら巻付き防止具の産業分野で利用することができる。
【図面の簡単な説明】
【００３２】
【図１】本発明の一実施形態例に係るかずら巻付き防止具を備えた金網フェンスの外観図である。
【図２】本発明の一実施形態例に係るかずら巻付き防止具を備えた金網フェンスの正面図である。
【図３】本発明の一実施形態例に係るかずら巻付き防止具を備えた金網フェンスの側面図である。
【図４】図３中の矢印ＩＶ部の詳細図である。
【図５】図３中の矢印Ｖ部の詳細図である。
【符号の説明】
【００３３】
１  金網フェンス
２  支柱
３  金網
４  鉄条網
５  板材
６  ネット
７  ねじ部材
８  縁部
９  板部
１１  半筒体
１２  開口
１３  第２折り返し材
【図１】
2008240404.tif 000003
【図２】
2008240404.tif 000004
【図３】
2008240404.tif 000005
【図４】
2008240404.tif 000006
【図５】
2008240404.tif 000007